(57)【要約】【課題】大きな重量の室内機であっても、室内の前壁の背面側に縦姿勢で配置することができるようにする。【解決手段】熱交換器と送風ファン等を備え、上部に吹出開口が設けられ、下部に吸込開口が設けられ、前壁の背面側に縦配置される室内機１１０と、該室内機１１０の前記吹出開口と前記前壁に設けられた吹出グリル１３０との間を前記前壁の背面側において接続する吹出ダクト１２０と、前記室内機１１０の前記吸込開口と前記前壁に設けられた吸込グリル１５０との間を前記前壁の背面側において接続する吸込ダクト１４０とを備えるダクト型空気調和機において、前記室内機１１０を前記吸込ダクト１４０の上に載せて設置する構造とした。【選択図】図１
2015218924.tif 000002
【特許請求の範囲】
【請求項１】
熱交換器と送風ファンを備え、上部に吹出開口が設けられ、下部に吸込開口が設けられ、前壁の背面側に縦姿勢で配置される室内機と、該室内機の前記吹出開口と前記前壁に設けられる吹出グリルとの間を前記前壁の背面側において接続する吹出ダクトと、前記室内機の前記吸込開口と前記前壁に設けられる吸込グリルとの間を前記前壁の背面側において接続する吸込ダクトとを備えるダクト型空気調和機において、
前記室内機を前記吸込ダクトの上に載せて設置する構造とすることを特徴とするダクト型空気調和機。
【請求項２】
請求項１に記載のダクト型空気調和機において、
前記室内機は、前記前壁の背面側にある奥壁あるいはボードに支持するためのフックを備えることを特徴とするダクト型空気調和機。
【請求項３】
請求項１又は２に記載のダクト型空気調和機において、
前記吸込ダクトの下端は、前記前壁の背面側の下端に取り付けられる幅木の高さをもつスペーサの上に載せられていることを特徴とするダクト型空気調和機。
【発明の詳細な説明】
【技術分野】
【０００１】
本発明は、室内の壁内あるいは天井内に設置されるダクト型空気調和機に関する。
【背景技術】
【０００２】
屋内の前壁の背面側（奥壁、柱、ボード等）に縦姿勢で設置されるダクト型空気調和機は、家屋の新築時あるいはリフォーム時に設置される。このダクト型空気調和機は、屋内の前壁の背面側に熱交換器や送風ファンその他を備えた室内機を取り付けるとともに、その室内機の上方に吹出ダクトを配置し下方に吸込ダクトを配置して、吹出ダクトの上端を前壁の上部の吹出グリルに接続し、吸込ダクトの下端を前壁の下部の吸込グリルに接続して、構築されている。このように、前壁の背面側に設置するダクト型空気調和機は、特許文献１に開示されている。
【先行技術文献】
【特許文献】
【０００３】
【特許文献１】特開平０７−２３３９６６号公報
【発明の概要】
【発明が解決しようとする課題】
【０００４】
このダクト型空気調和機の室内機の設置は、前壁の背面側の奥壁、柱、ボード等に対して、ビス等で取り付け、これにより室内機が奥壁、柱、ボード等から吊り下げられるようになっている。このため、それら奥壁、柱、ボード等に対して室内機の全重量がかかることになる。
【０００５】
このような室内機は、送風ファン、その送風ファンを回転駆動するモータ、熱交換器等を筐体内に組み込むことで構成されている。一般に、冷暖房能力の大きい室内機は熱交換器等が大型になるため、冷暖房能力が大きくなるにつれて室内機の重量も大きくなる。したがって、奥壁やボード等の強度が不十分な場合には、冷暖房能力が大きい室内機を設置しようとしても、室内機の重量に対して奥壁やボード等の強度が不足するため、室内機をそこに取り付けることができない。このため、必要な冷暖房能力を得るために、１つの部屋に複数台のダクト型空気調和機を設置しなけばならない事態を招くこともあった。
【０００６】
本発明の目的は、大きな重量の室内機であっても、室内の前壁の背面側に設置することができるようにしたダクト型空気調和機を提供することである。
【課題を解決するための手段】
【０００７】
上記目的を達成するために、請求項１にかかる発明は、熱交換器と送風ファンを備え、上部に吹出開口が設けられ、下部に吸込開口が設けられ、前壁の背面側に縦姿勢で配置される室内機と、該室内機の前記吹出開口と前記前壁に設けられる吹出グリルとの間を前記前壁の背面側において接続する吹出ダクトと、前記室内機の前記吸込開口と前記前壁に設けられる吸込グリルとの間を前記前壁の背面側において接続する吸込ダクトとを備えるダクト型空気調和機において、前記室内機を前記吸込ダクトの上に載せて設置する構造とすることを特徴とする。
【０００８】
請求項２にかかる発明は、請求項１に記載のダクト型空気調和機において、前記室内機は、前記前壁の背面側にある奥壁あるいはボードに支持するためのフックを備えることを特徴とする。
【０００９】
請求項３にかかる発明は、請求項１又は２に記載のダクト型空気調和機において、前記吸込ダクトの下端は、前記前壁の背面側の下端に取り付けられる幅木の高さをもつスペーサの上に載せられていることを特徴とする。
【発明の効果】
【００１０】
本発明によれば、室内機を下部の吸込ダクトの上に載せて設置する構造とするので、前壁の背面側の奥壁等に対する重量負荷が小さくなり、大きな重量の室内機であっても取り付けることができる利点がある。
【図面の簡単な説明】
【００１１】
【図１】本発明の実施例のダクト型空気調和機を前壁の背面側に縦姿勢で設置した状態の側面図である。
【図２】図１のダクト型空気調和機の要部の正面図である。
【図３】図１のダクト型空気調和機の要部の分解斜視図である。
【発明を実施するための形態】
【００１２】
図１〜図３に本発明の実施例のダクト型空気調和機１００を示す。本実施例のダクト型空気調和機１００は、天井２００と床面３００の間でかつ奥壁４００と前壁５００の間に配置される。このダクト型空気調和機１００は、熱交換器と送風ファンとその送風ファンを回転駆動するモータ等が筐体に内蔵された室内機１１０を有する。
【００１３】
また、このダクト型空気調和機１００は、その室内機１１０の上面の吹出開口の枠体１１１に接続されるダクトアダプタ１２１と、そのダクトアダプタ１２１の上端に接続されるフレキシブル丸ダクト１２２と、そのフレキシブル丸ダクト１２２の上端に接続されるダクトアダプタ１２３と、そのダクトアダプタ１２３の上端に接続され奥壁４００の上部に背面が取り付けられる吹出口ダクト１２４と、その吹出口ダクト１２４の吹出口１２４ａを覆う吹出グリル１３０を有する。ダクトアダプタ１２１，１２３とフレキシブル丸ダクト１２２と吹出口ダクト１２４は、吹出ダクト１２０を構成する。
【００１４】
さらに、このダクト型空気調和機１００は、室内機１１０の下面の吸込開口の枠体１１２に接続される吸込ダクト１４０を有する。この吸込ダクト１４０は、メンテナンス蓋１４１ａが着脱自在に取り付けられた角ダクト１４１とその下部に結合される吸込口ダクト１４２とで構成されている。そして、それら角ダクト１４１と吸込口ダクト１４２は、厚みが１ｍｍ程度の板金により、横断面形状が、室内機１１０の吸込開口の枠体１１２と同じか若干小さい長四角形状になるように形成されている。下部の吸込口ダクト１４２の吸込口１４２ａは、吸込グリル１５０で覆われている。
【００１５】
さて、このダクト型空気調和機１００の組み立ては、前壁５００を取り付ける前に奥壁４００の前面で行われる。このとき、角ダクト１４１と吸込口ダクト１４２とを一体化した吸込ダクト１４０を、前壁５００の下端（床面３００の側）に装着される幅木５１０の高さ分の高さをもつスペーサ１６０の上に乗せて、その吸込ダクト１４０の下部の吸込口ダクト１４２の下端に取り付けたフックＡ１を、ビスＢ１により、スペーサ１６０に対して固定する。なお、スペーサ１６０は床面３００に設置される。
【００１６】
次に、この一体化した角ダクト１４１と吸込口ダクト１４２からなる吸込ダクト１４０の上に室内機１１０を載せる。そして、室内機１１０の吸込開口の枠体１１２の下端１１２ａのフランジ１１２ｂを、角ダクト１４１の上端１４１ｂのフランジ１４１ｃに合わせてから、その両フランジ１１２ｂ，１４１ｃをねじ（図示せず）で結合する。これにより、吸込ダクト１４０の上に載置された室内機１１０が固定される。そして、室内機１１０の左右側面上下の奥側に切欠きＡ２１を下に向けて取り付けたフックＡ２を、奥壁４００にあらかじめ取り付けたビスＢ２に、それぞれ引っ掛ける。
【００１７】
このとき、室内機１１０のフックＡ２は奥壁４００に取り付けられているビスＢ２に係合するが、その係合状態において、そのビスＢ２とフックＡ２の切欠きＡ２１の上下方向との間に遊びが生じるようにすることで、ビスＢ２に下方向の負荷がかからないようにする。つまり、室内機１１０の全重量の支持は、もっぱら吸込ダクト１４０によって行われるようにする。フックＡ２とビスＢ２による係合は、地震等によって室内機１１０が前方へ倒れることを防止する。
【００１８】
この後、室内機１１０の吹出開口の枠体１１１にダクトアダプタ１２１を取り付け、続いてそのダクトアダプタ１２１にフレキシブル丸ダクト１２２の下端を取り付け、そのフレキシブル丸ダクト１２２の上端にダクトアダプタ１２３を取り付け、そのダクトアダプタ１２３を、あらかじめ奥壁４００にビスＢ３により取り付けられている吹出口ダクト１２４に取り付ける。
【００１９】
そして、室内機１１０の冷媒配管１１３への配管接続や電装品箱（図示せず）への電気配線の接続が完了し、テスト運転が完了した後に、前壁５００が取り付けられる。続いて、吹出グリル１３０が吹出口ダクト１２４の吹出開口１２４ａを覆うように前壁５００の上部に取り付けられ、吸込グリル１５０が吸込口ダクト１４２の吸込開口１４２ａを覆うように前壁５００の下部に取り付けられる。なお、吸込ダクト１４０のメンテナンス蓋１４１ａの上下位置は作業者の胸の高さに設定され、前壁５００のそれに対応する位置には、開閉自在のメンテナンス扉（図示せず）が取り付けられる。
【００２０】
以上のように、縦姿勢で設置される室内機１１０は、吸込ダクト１４０によってその重量が受け止められるので、室内機１１０の奥壁４００に対する取り付けにおいては、室内機１１０の重量を支える必要はなく、前方へ倒れることを防止できればよい。このため、奥壁４００には大きな強度は要求されない。よって、室内機１１０として大きな冷暖房能力で重量の大きいものを取り付けることが可能となる。
【００２１】
なお、奥壁４００は正規の壁である必要はなく、部分的に設けられたボード等による壁であってもよい。
【符号の説明】
【００２２】
１００：ダクト型空気調和機、１１０：室内機、１１１：吹出開口の枠体、１１２：吸込開口の枠体、１１２ａ：下端、１１２ｂ：フランジ、１２０：吹出ダクト、１２１：ダクトアダプタ、１２２：フレキシブル丸ダクト、１２３：ダクトアダプタ、１２４：吹出口ダクト、１２４ａ：吹出開口、１３０：吹出グリル、１４０：吸込ダクト、１４１：角ダクト、１４１ａ：メンテナンス蓋、１４１ｂ：上端、１４１ｃ：フランジ、１４２：吸込口ダクト、１４２ａ：吸込開口、１５０：吸込グリル、１６０：スペーサ
２００：天井
３００：床面
４００：奥壁
５００：前壁、５１０：幅木
Ａ１，Ａ２：フック、Ａ２１：切欠き
Ｂ１，Ｂ２，Ｂ３：ビス
【図１】
2015218924.tif 000003
【図２】
2015218924.tif 000004
【図３】
2015218924.tif 000005